【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部に対し、前記データ線を対応する画素の階調値に応じて駆動する表示駆動装置であって、
前記各データ線を駆動するデータ線駆動信号が設定輝度に応じた定電流信号とされるように制御する電流設定部と、
表示データの補正値を生成する補正値生成部と、
表示データについて前記補正値生成部で生成した補正値を用いた補正処理を行い、補正処理後の表示データに基づいて、データ線駆動信号の駆動期間を規定する駆動制御信号を生成する駆動制御信号生成部と、
を備え、
前記補正値生成部は、
前記設定輝度が設定輝度可変範囲内で決められた基準輝度より低い場合は、前記設定輝度と前記基準輝度の差と、前記走査線の１ライン分に相当する表示データ単位における点灯率を用いて補正値を生成し、
前記設定輝度が前記基準輝度より高い場合は、前記設定輝度と前記基準輝度の差と、前記表示データ単位における非点灯率を用いて補正値を生成する
表示駆動装置。
【請求項２】
前記駆動制御信号生成部は、前記補正処理として、データ線駆動信号の駆動期間が短くなる方向の補正を行う
請求項１に記載の表示駆動装置。
【請求項３】
前記点灯率は、前記表示データ単位の各表示データで示される階調値を積算し、積算値を階調数で除算した値を、前記表示データ単位の表示データ数で除算した値であり、
前記非点灯率は、１−前記点灯率、である
請求項１に記載の表示駆動装置。
【請求項４】
前記補正値生成部は、入力された所定ビット数の階調値としての表示データを対象として補正値を生成し、
前記駆動制御信号生成部は、入力された所定ビット数の階調値としての表示データについて、前記補正値生成部で生成した補正値を用いた補正処理を行う
請求項１に記載の表示駆動装置。
【請求項５】
前記補正値生成部は、入力された所定ビット数の階調値を前記駆動期間に相当するカウンタ値に変換した状態の表示データを対象として補正値を生成し、
前記駆動制御信号生成部は、入力された所定ビット数の階調値を前記駆動期間に相当するカウンタ値に変換した状態の表示データについて、前記補正値生成部で生成した補正値を用いた補正処理を行う
請求項１に記載の表示駆動装置。
【請求項６】
前記基準輝度は、
点灯画素と非点灯画素が混在する前記表示データ単位に応じて表示が行われる１ラインと、全てが点灯画素とされた前記表示データ単位に応じて表示が行われる１ラインとで、前記点灯画素についての輝度差が生じなくなるときの設定輝度の値とする
請求項１に記載の駆動回路。
【請求項７】
列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部と、
前記データ線を対応する画素の階調値に応じて駆動する表示駆動部と、
前記走査線に対して走査信号を与える走査線駆動部と、
を備え、
前記表示駆動部は、
前記各データ線を駆動するデータ線駆動信号が設定輝度に応じた定電流信号とされるように制御する電流設定部と、
表示データの補正値を生成する補正値生成部と、
表示データについて前記補正値生成部で生成した補正値を用いた補正処理を行い、補正処理後の表示データに基づいて、データ線駆動信号の駆動期間を規定する駆動制御信号を生成する駆動制御信号生成部と、
を有し、
前記補正値生成部は、
前記設定輝度が設定輝度可変範囲内で決められた基準輝度より低い場合は、前記設定輝度と前記基準輝度の差と、前記走査線の１ライン分に相当する表示データ単位における点灯率を用いて補正値を生成し、
前記設定輝度が前記基準輝度より高い場合は、前記設定輝度と前記基準輝度の差と、前記表示データ単位における非点灯率を用いて補正値を生成する
表示装置。
【請求項８】
列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部に対し、前記各データ線を駆動するデータ線駆動信号を設定輝度に応じた定電流信号として供給する場合に、前記データ線駆動信号を対応する画素の階調値に応じた駆動期間に規定する駆動制御信号を生成するための表示データの補正方法として、
表示データの補正値を、前記設定輝度が設定輝度可変範囲内で決められた基準輝度より低い場合は、前記設定輝度と前記基準輝度の差と前記走査線の１ライン分に相当する表示データ単位における点灯率を用いて生成し、前記設定輝度が前記基準輝度より高い場合は、前記設定輝度と前記基準輝度の差と前記表示データ単位における非点灯率を用いて生成し、
生成した補正値を用いて表示データの補正処理を行う
表示データ補正方法。
【手続補正２】
【補正対象書類名】明細書
【補正対象項目名】０００６
【補正方法】変更
【補正の内容】
【０００６】
第１に、本発明に係る表示駆動装置は、列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部に対し、前記データ線を対応する画素の階調値に応じて駆動する表示駆動装置である。そして前記各データ線を駆動するデータ線駆動信号が設定輝度に応じた定電流信号とされるように制御する電流設定部と、表示データの補正値を生成する補正値生成部と、表示データについて前記補正値生成部で生成した補正値を用いた補正処理を行い、補正処理後の表示データに基づいて、データ線駆動信号の駆動期間を規定する駆動制御信号を生成する駆動制御信号生成部とを備える。さらに前記補正値生成部は、前記設定輝度が設定輝度可変範囲内で決められた基準輝度より低い場合は、前記設定輝度と前記基準輝度の差と、前記走査線の１ライン分に相当する表示データ単位における点灯率を用いて補正値を生成し、前記設定輝度が前記基準輝度より高い場合は、前記設定輝度と前記基準輝度の差と、前記表示データ単位における非点灯率を用いて補正値を生成する。
この表示駆動装置によって、データ線には階調値に応じた駆動期間の定電流信号が与えられるが、１ラインでの点灯率や全体輝度によっては、或るラインの点灯画素の輝度が、本来の輝度より高くなったり低くなったりする輝度変化が生じ、これにより画像に輝度ムラが生ずる。この輝度変化の発生状況は設定輝度や、ラインの点灯率に応じて変わる。
より具体的には、設定輝度が基準輝度（輝度ムラが視認上問題とならない所定輝度（又は所定輝度範囲））より高い場合は、点灯率が低いラインほど、また設定輝度と基準輝度の差が大きいほど、点灯画素の輝度が上がってしまう。また設定輝度が基準輝度より低い場合は、点灯率が低いラインほど、また設定輝度と基準輝度の差が大きいほど、点灯画素の輝度が下がってしまう。
このような事象に対応するために前記設定輝度と前記基準輝度の差というパラメータと、表示データ単位における点灯率（又は非点灯率）というパラメータを用いて補正値を生成し、表示データを補正する。
【手続補正３】
【補正対象書類名】明細書
【補正対象項目名】００１０
【補正方法】変更
【補正の内容】
【００１０】
第５に、上記した本発明に係る表示駆動装置においては、前記補正値生成部は、入力された所定ビット数の階調値を前記駆動期間に相当するカウンタ値に変換した状態の表示データを対象として補正値を生成し、前記駆動制御信号生成部は、入力された所定ビット数の階調値を前記駆動期間に相当するカウンタ値に変換した状態の表示データについて、前記補正値生成部で生成した補正値を用いた補正処理を行う。
階調値を前記駆動期間に相当するカウンタ値に変換した状態の表示データを対象として補正値生成及び補正を行うことで、変換前の表示データの階調解像度よりも精細な階調解像度での補正が可能となる。
第６に、前記基準輝度は、点灯画素と非点灯画素が混在する前記表示データ単位に応じて表示が行われる１ラインと、全てが点灯画素とされた前記表示データ単位に応じて表示が行われる１ラインとで、前記点灯画素についての輝度差が生じなくなるときの設定輝度の値とする。
【手続補正４】
【補正対象書類名】明細書
【補正対象項目名】００１２
【補正方法】変更
【補正の内容】
【００１２】
本発明に係る表示データ補正方法は、列方向に並ぶ複数の画素に共通に接続されたデータ線と、行方向に並ぶ複数の画素に共通に接続された走査線とが、それぞれ複数配設され、前記データ線と前記走査線の各交差点に対応して画素が形成されている表示部に対し、前記各データ線を駆動するデータ線駆動信号を設定輝度に応じた定電流信号として供給する場合に、前記データ線駆動信号を対応する画素の階調値に応じた駆動期間に規定する駆動制御信号を生成するための表示データの補正方法である。そして、表示データの補正値を、前記設定輝度が設定輝度可変範囲内で決められた基準輝度より低い場合は、前記設定輝度と前記基準輝度の差と前記走査線の１ライン分に相当する表示データ単位における点灯率を用いて生成し、前記設定輝度が前記基準輝度より高い場合は、前記設定輝度と前記基準輝度の差と前記表示データ単位における非点灯率を用いて生成し、生成した補正値を用いて表示データ補正処理を行うようにする。
即ち設定輝度や点灯率に応じて生ずる輝度変化による輝度ムラの解消又は低減のため、設定輝度や点灯率に応じた補正値を生成して表示データの補正を行う。
【手続補正５】
【補正対象書類名】明細書
【補正対象項目名】００２８
【補正方法】変更
【補正の内容】
【００２８】
＜２．表示上に発生する輝度変化の説明＞
ここで表示上に発生する輝度変化について説明しておく。
図４は、表示画面の輝度設定により全体輝度を変化させた場合の様子を示している。
全体輝度とは画面全体の明るさであり、全体輝度の調整とは一般に「ディミング」や「ディマー」と呼ばれる調整のことである。
そしてこの全体輝度は、データ線駆動信号の定電流値を変化させることによって変わる。つまり目的の輝度設定に応じて電流値制御信号ＩＳによって定電流値が可変されることで、画面の全体輝度が調整される（図３参照）。
図４では、このような輝度設定として、輝度設定値“４０”〜“８０”（ｃｄ／ｍ2）の５つの場合での画面状態を模式的に示している。
また各画面では、背景部分と「ＡＢＣ・・・」で示す文字部分が存在しているとしている。この画面は、高輝度の背景に黒色の文字が表示されるものであり、文字自体を形成する画素は非点灯状態で、文字以外の背景に相当する画素は点灯状態である。点灯画素は、図３で説明した動作で、輝度設定に応じた定電流（データ線駆動信号）が供給される画素である。つまり文字のないラインは全画素が点灯しており、最も点灯率が高い。表示される文字にかかるラインは、その分、非点灯画素が存在することになり点灯率が低くなる（非点灯率が高い）。また「ＡＢＣＤＥＦＧ」の文字表示を行っているラインは、「ＡＢＣＤ」の文字表示を行っているラインよりも、点灯率が低い（非点灯率が高い）。
【手続補正６】
【補正対象書類名】図面
【補正対象項目名】図１２
【補正方法】変更
【補正の内容】
【図１２】
2016062066.tif 000001